【事件の表示】
　特許第３３９８０８１号「ディジタルカメラ」の請求項１ないし４に係る特許に対する特許異議の申立てについて，次のとおり決定する。
【結　論】
　訂正を認める。
　特許第３３９８０８１号の請求項１ないし４に係る特許を維持する。
【理　由】
第１　手続の経緯
１　特許第３３９８０８１号の請求項１ないし４に係る出願は，平成１１年３月１日に出願され，平成１５年２月１４日にその発明について設定登録がなされ，その後，その特許について，異議申立人金子和弘から特許異議の申立てがなされ，取消理由通知の指定期間内である平成１６年９月６日に訂正請求がなされたものである。
　
第２　訂正の適否
１　訂正の概要
　平成１６年９月６日付け訂正請求によって特許権者が求めている訂正の内容は以下のとおりである。
　
(１)　特許請求の範囲の請求項１の「前記Ｍ，Ｎは正の整数でＭ＞Ｎを満足し，前記画像データは動画データであり，」を「前記Ｍ，Ｎは正の整数でＭ＞Ｎを満足し，前記Ｍ種類の互換モードには，前記Ｎ種類の互換モードより上位の互換モードを含み，前記画像データは動画データであり，」と訂正する。
　
(２)　特許請求の範囲の請求項２の「前記Ｍ，Ｎは正の整数でＭ＞Ｎを満足し，前記画像データにはディジタル音声データが付加され，」を「前記Ｍ，Ｎは正の整数でＭ＞Ｎを満足し，前記Ｍ種類の互換モードには，前記Ｎ種類の互換モードより上位の互換モードを含み，前記画像データにはディジタル音声データが付加され，」と訂正する。
　
(３)　特許請求の範囲の請求項３の「前記入力処理手段から出力された第１信号を前記Ｎ種類の品質のいずれとも異なる品質の第２信号が記録された着脱自在の記録媒体に記録する記録手段と，」を「前記入力処理手段から出力された第１信号を前記Ｎ種類の品質のいずれとも異なり，かつ前記Ｎ種類の品質より高品質の第２信号が記録された着脱自在の記録媒体に記録する記録手段と，」と訂正し，
　さらに，「前記Ｎ及びＭはＮ＜Ｍを満足する正の整数であり，前記Ｍ種類の品質は前記第２信号の品質を含み，前記画像データは動画データであり，前記互換モードとは，動画のフレームレートに関連すること」を「前記Ｎ及びＭはＮ＜Ｍを満足する正の整数であり，前記Ｍ種類の品質は前記第２信号の品質を含み，前記第１信号及び前記第２信号は動画データであり，前記品質とは，動画のフレームレートに関連すること」と訂正する。　　
　
(４)　特許請求の範囲の請求項４の「前記入力処理手段から出力された第１信号を前記Ｎ種類の品質のいずれとも異なる品質の第２信号が記録された着脱自在の記録媒体に記録する記録手段と，」を「前記入力処理手段から出力された第１信号を前記Ｎ種類の品質のいずれとも異なり，かつ前記Ｎ種類の品質より高品質の第２信号が記録された着脱自在の記録媒体に記録する記録手段と，」と訂正し，
　さらに，「前記Ｎ及びＭはＮ＜Ｍを満足する正の整数であり，前記Ｍ種類の品質は前記第２信号の品質を含み，前記画像データにはディジタル音声データが付加され，前記互換モードとは，音声データの所定のサンプリングレート及び量子化ビット数に関連すること」を「前記Ｎ及びＭはＮ＜Ｍを満足する正の整数であり，前記Ｍ種類の品質は前記第２信号の品質を含み，前記第１信号及び前記第２信号にはディジタル音声データが付加され，前記品質とは，音声データの所定のサンプリングレート及び量子化ビット数に関連すること」に訂正する。
　
(５)　明細書の課題を解決するための手段について，「Ｍ，Ｎは正の整数でＭ＞Ｎを満足し，画像データは動画データであり，」を「Ｍ，Ｎは正の整数でＭ＞Ｎを満足し，Ｍ種類の互換モードには，Ｎ種類の互換モードより上位の互換モードを含み，画像データは動画データであり，」に訂正し，
　さらに，「入力処理手段から出力された第１信号をＮ種類の品質のいずれとも異なる品質の第２信号が記録された着脱自在の記録媒体に記録する記録手段と，」を「入力処理手段から出力された第１信号をＮ種類の品質のいずれとも異なり，かつＮ種類の品質より高品質の第２信号が記録された着脱自在の記録媒体に記録する記録手段と，」に訂正し，
　さらに，「画像データは動画データであり，互換モードとは，動画のフレームレートに関連することを特徴とする。また，画像データにはディジタル音声データが付加され，互換モードとは音声データの所定のサンプリングレート及び量子化ビット数に関連するもの」を「第１信号及び第２信号は動画データであり，品質とは，動画のフレームレートに関連することを特徴とする。また，第１信号及び第２信号にはディジタル音声データが付加され，品質とは音声データの所定のサンプリングレート及び量子化ビット数に関連するもの」に訂正する。
　
２　訂正事項について
　上記１(１)ないし(４)の特許請求の範囲の訂正は，「上位の互換モード」又は「高品質」の限定事項を追加するもので，特許請求の範囲の減縮を目的とするものである。
　また，上記１(５)の明細書の訂正は，特許請求の範囲の記載と発明の詳細な説明の記載との整合をとるためであり，明りょうでない記載の釈明を目的とするものである。
　そして，当該訂正は，願書に添付した明細書又は図面に記載した事項の範囲内の訂正であり，実質上特許請求の範囲を拡張し又は変更するものでもない。
　　
３　むすび
　以上のとおりであるから，上記訂正は，特許法１２０条の４第２項の目的に該当し，同３項において準用する特許法１２６条２項及び３項の規定に適合するので，当該訂正を認める。
　　
第３　特許異議の申し立てについて
１　申立の理由の概要
　特許異議申立人は，証拠として
（１）甲第１号証：特開平１０−２２４７２８号公報
（２）甲第２号証：特開平１０−３２７４２８号公報
（３）甲第３号証：特開平　７−２２６０２５号公報
　を提出し，請求項１ないし４に係る発明は，特許法２９条２項の規定に違反してなされたものであるから，特許を取り消すべき旨主張している。
　
２　本件発明
　上記第２に記載したとおり，平成１６年９月６日付け訂正請求書による訂正請求は認められるところとなったので，本件特許は，同訂正請求書に添付した訂正明細書の特許請求の範囲の請求項１ないし４に記載された事項により特定される次のとおりのものである。
　
【請求項１】本体機器に対して着脱自在な記録媒体と，
入射光を撮像素子にて光電変換して画像データを作成する撮像手段と，
Ｍ(Ｍ：整数)種類の互換モードの中のＮ(Ｎ：整数)種類の互換モードのいずれかに合致した形態で，該撮像手段から得られる画像データを，互換モードを示す管理情報と共に前記記録媒体に記録する記録手段と，
前記記録媒体に記録された管理情報に基づいて，Ｍ種類のいずれかの互換モードで画像データを再生する再生手段とを備え，
前記Ｍ，Ｎは正の整数でＭ＞Ｎを満足し，前記Ｍ種類の互換モードには，前記Ｎ種類の互換モードより上位の互換モードを含み，前記画像データは動画データであり，前記互換モードとは，動画のフレームレートに関連することを特徴とするディジタルカメラ。（以下，「本件発明１」という。以下同じ。）
　　
【請求項２】本体機器に対して着脱自在な記録媒体と，
入射光を撮像素子にて光電変換して画像データを作成する撮像手段と，
Ｍ(Ｍ：整数)種類の互換モードの中のＮ(Ｎ：整数)種類の互換モードのいずれかに合致した形態で，該撮像手段から得られる画像データを，互換モードを示す管理情報と共に前記記録媒体に記録する記録手段と，
前記記録媒体に記録された管理情報に基づいて，Ｍ種類のいずれかの互換モードで画像データを再生する再生手段とを備え，
前記Ｍ，Ｎは正の整数でＭ＞Ｎを満足し，前記Ｍ種類の互換モードには，前記Ｎ種類の互換モードより上位の互換モードを含み，前記画像データにはディジタル音声データが付加され，前記互換モードとは，音声データの所定のサンプリングレート及び量子化ビット数に関連することを特徴とするディジタルカメラ。
　
【請求項３】外部から取り込まれた信号にＮ種類の品質のいずれか１つに対応する入力処理を施す入力処理手段と，
前記入力処理手段から出力された第１信号を前記Ｎ種類の品質のいずれとも異なり，かつ前記Ｎ種類の品質より高品質の第２信号が記録された着脱自在の記録媒体に記録する記録手段と，
前記記録媒体から前記第１信号及び前記第２信号のいずれか一方を再生する再生手段と，
前記再生手段による再生信号の品質を検出する品質検出手段と，
前記再生手段にＭ種類の品質の各々に対応するＭ個の出力処理のいずれかを施す出力処理手段と，
前記品質検出手段の検出結果に基づいて前記Ｍ個の出力処理のいずれかを能動化する選択手段とを備え，
前記Ｎ及びＭはＮ＜Ｍを満足する正の整数であり，前記Ｍ種類の品質は前記第２信号の品質を含み，前記第１信号及び前記第２信号は動画データであり，前記品質とは，動画のフレームレートに関連することを特徴とするディジタルカメラ。
　
【請求項４】外部から取り込まれた信号にＮ種類の品質のいずれか１つに対応する入力処理を施す入力処理手段と，
前記入力処理手段から出力された第１信号を前記Ｎ種類の品質のいずれとも異なり，かつ前記Ｎ種類の品質より高品質の第２信号が記録された着脱自在の記録媒体に記録する記録手段と，
前記記録媒体から前記第１信号及び前記第２信号のいずれか一方を再生する再生手段と，
前記再生手段による再生信号の品質を検出する品質検出手段と，
前記再生手段にＭ種類の品質の各々に対応するＭ個の出力処理のいずれかを施す出力処理手段と，
前記品質検出手段の検出結果に基づいて前記Ｍ個の出力処理のいずれかを能動化する選択手段とを備え，
前記Ｎ及びＭはＮ＜Ｍを満足する正の整数であり，前記Ｍ種類の品質は前記第２信号の品質を含み，前記第１信号及び前記第２信号にはディジタル音声データが付加され，前記品質とは，音声データの所定のサンプリングレート及び量子化ビット数に関連することを特徴とするディジタルカメラ。
　
３　引用刊行物記載の発明
　刊行物１(甲第１号証：特開平１０一２２４７２８号公報)には，撮像した複数種類の動画フレームレートを選択して記録媒体に記録し，再生時には記録されたフレームレートに応じたフレームレートで画像を再生するビデオカメラが記載されている。
　刊行物２(甲第２号証：特開平１０-３２７４２８号公報)には，記録フォーマットよりも再生フォーマットの数が多いディジタルカメラが開示されている。
　刊行物３(甲第３号証：特開平７-２２６０２５号公報)には，複数種類のサンプリングレート及び量子化ビット数の音声データを選択して記録でき，同種類のサンプリングレート及び量子化ビット数を有する音声データを再生できる技術が開示されている。
　　
４　対比・判断
(１)　本件発明１について
　上記甲第１号証の発明と本件発明１とをディジタルカメラにおける技術常識を勘案し対比すると，次の一致点を有し，後記の相違点が認められる。
【一致点】
本体機器に対して着脱自在な記録媒体と，入射光を撮像素子にて光電変換して画像データを作成する撮像手段と，Ｍ(Ｍ：整数)種類の互換モードの中のＮ(Ｎ：整数)種類の互換モードのいずれかに合致した形態で，該撮像手段から得られる画像データを，互換モードを示す管理情報と共に前記記録媒体に記録する記録手段と，前記記録媒体に記録された管理情報に基づいて，Ｍ種類のいずれかの互換モードで画像データを再生する再生手段とを備え，前記画像データは動画データであり，前記互換モードとは，動画のフレームレートに関連することを特徴とするディジタルカメラ。
【相違点】
　Ｍ種類の再生の互換モードとＮ種類の記録の互換モードとの関係が，本件発明１では，Ｍ，Ｎは正の整数でＭ＞Ｎを満足し，前記Ｍ種類の互換モードには，前記Ｎ種類の互換モードより上位の互換モードを含む，のに対し刊行物１では，Ｍ＝Ｎの場合だけである点。
　
　そこで検討するに，Ｍ＞Ｎの意味するところは，再生の互換モードの種類が記録の互換モードの種類より多いということであり，換言すれば，再生の互換モードの種類に対して記録の互換モードの種類の一部を省いたことに相当する。
　ところで，機器やシステムを製作する際に一部の性能を省くことは，費用の観点から一般的に行われている事項であるから，動画を記録，再生するディジタルカメラにおいても，その対応する動画フレームレートの種類を少なくすることは，一部の性能を省くこととして特に困難なことではないものといえる。
　甲第１号証では，複数種類の中から選択したフレームレートで記録し，記録されたフレームレート情報に基づいて再生を行うものであり，記録と再生はフレームレートに関しては対応するものとして扱われており，複数のフレームレートの種類で記録，再生が可能な甲第１号証の技術において，記録と再生が同じフレームレートの性能のものについて省くことは当業者が容易に推考できたことといえる。
　本件発明１では，記録と再生が可能なディジタルカメラにおいて，その記録の性能のみを一部省いたものであり，甲第１号証において，記録と再生の両者をセットとして一部を省いた技術とは異なるものといわざるを得ない。
　この点に関し異議申立人は，本件発明１は「複数の記録フレームレートに対して記録系と再生系の両方が対応しているものから，記録系の対応するフレームレートの一部を取り去ることによってコストダウンを図ったものである。従来より備わっていた１つの機能を取り去ることによってその取り去った分の構成が簡略化されるというものであり，技術的には何ら新規性かつ進歩性を有するものはなく，その結果，取り去ったフレームレートでは記録できないという欠点を生じているものであり，何ら技術的課題は存在せず，解決した技術的課題も存在しておらず，特許性を有していない。」旨，主張し，念のためとして，甲第２号証を挙げている。
　甲第２号証には，記録フォーマットよりも再生フォーマットの数が多いディジタルカメラが開示され，異なる規格の画像ファイルフォーマットの画像データをも再生できることが可能な技術が示されている。
　しかし，記録の種類より再生の種類を多くしたという点での上位概念では，本件発明１と甲第２号証との差異はないが，本件発明１では，「前記Ｍ種類の互換モードには，前記Ｎ種類の互換モードより上位の互換モードを含み，前記画像データは動画データであり，前記互換モードとは，動画のフレームレートに関連する」とあるように，動画のフレームレートに関連する上位の互換モードであり，ファイルフォーマットとは明らかに異なるものである。
　加えて，甲第２号証には，その請求項２の後半に「この画像処理手段は，所定の画素数のディジタル画像データを記録及び再生する第１のモードと，前記第１のモードより少ない画素数のディジタル画像データについて再生する第２のモードとを備えたことを特徴とするディジタルカメラ。」とあるように，フレームレートでなく画素数についての互換モードで，かつ第２のモードでは画素数を少なくしていることから，下位互換であり本件発明１の上位互換とも異なるものである。
　したがって，互換性を満足し，「記録系の画像や音声の取り込み手段として互換モードの全てを満足するための処理手段は不要となり，互換モードの少なくとも１つに適応できるように処理を簡略化しながらも，必要最小限の互換性を複数のカメラ間で維持することが可能になる。」という効果は，十分特許性を有している。
　
(２)　本件発明２について
　本件発明２は，画像データにディジタル音声データを付加し，音声データの所定のサンプリングレートおよび量子化ビット数に関連する上位の互換モードを備えているものである。
　甲第３号証には，複数種類のサンプリングレート及び量子化ビット数の音声データを選択して記録でき，同種類のサンプリングレート及び量子化ビット数を有する音声データを再生できる技術が開示されているが，本件発明１についての判断と同様の理由により，甲第２号証と甲第３号証の技術から当業者が容易に発明できたとはいえない。
　
(３)　本件発明３及び４について
　本件発明３及び本件発明４は，それぞれ本件発明１及び本件発明２に対応するもので，主要な構成である互換モードを品質で表現したものに相当し，本件発明１及び本件発明２の判断と同様，甲第１号証ないし甲第３号証に開示された技術に基づいて当業者が容易に発明できたものではない。
　
第４　むすび
　以上のとおりであるから，特許異議の申立ての理由及び証拠によっては，請求項１ないし４に係る発明の特許を取り消すことはできない。
　また，他に訂正された本件各発明についての特許を取り消すべき理由を発見しない。
　よって結論のとおり決定する。
【異議決定日】
平成１６年１２月２２日（２００４．１２．２２）
【訂正の要旨】
審決（決定）の【理由】欄参照。
（５４）【発明の名称】
動画像記録装置
（５７）【特許請求の範囲】
　【請求項１】本体機器に対して着脱自在な記録媒体と、
入射光を撮像素子にて光電変換して画像データを作成する撮像手段と、
Ｍ（Ｍ：整数）種類の互換モードの中のＮ（Ｎ：整数）種類の互換モードのいずれかに合致した形態で、該撮像手段から得られる画像データを、互換モードを示す管理情報と共に前記記録媒体に記録する記録手段と、
前記記録媒体に記録された管理情報に基づいて、Ｍ種類のいずれかの互換モードで画像データを再生する再生手段とを備え、
前記Ｍ、Ｎは正の整数でＭ＞Ｎを満足し、
前記Ｍ種類の互換モードには、前記Ｎ種類の互換モードより上位の互換モードを含み、
　【請求項２】本体機器に対して着脱自在な記録媒体と、
入射光を撮像素子にて光電変換して画像データを作成する撮像手段と、
Ｍ（Ｍ：整数）種類の互換モードの中のＮ（Ｎ：整数）種類の互換モードのいずれかに合致した形態で、該撮像手段から得られる画像データを、互換モードを示す管理情報と共に前記記録媒体に記録する記録手段と、
前記記録媒体に記録された管理情報に基づいて、Ｍ種類のいずれかの互換モードで画像データを再生する再生手段とを備え、
前記Ｍ、Ｎは正の整数でＭ＞Ｎを満足し、
前記Ｍ種類の互換モードには、前記Ｎ種類の互換モードより上位の互換モードを含み、
　【請求項３】外部から取り込まれた信号にＮ種類の品質のいずれか１つに対応する入力処理を施す入力処理手段と、
前記入力処理手段から出力された第１信号を前記Ｎ種類の品質のいずれとも異な
り、かつ前記Ｎ種類の品質より高
前記記録媒体から前記第１信号及び前記第２信号のいずれか一方を再生する再生手段と、
前記再生手段による再生信号の品質を検出する品質検出手段と、
前記再生手段にＭ種類の品質の各々に対応するＭ個の出力処理のいずれかを施す出力処理手段と、
前記品質検出手段の検出結果に基づいて前記Ｍ個の出力処理のいずれかを能動化する選択手段とを備え、
前記Ｎ及びＭはＮ＜Ｍを満足する正の整数であり、前記Ｍ種類の品質は前記第２信号の品質を含み、前記
第１信号及び前記第２信号
品質
　【請求項４】外部から取り込まれた信号にＮ種類の品質のいずれか１つに対応する入力処理を施す入力処理手段と、
前記入力処理手段から出力された第１信号を前記Ｎ種類の品質のいずれとも異な
り、かつ前記Ｎ種類の品質より高
前記記録媒体から前記第１信号及び前記第２信号のいずれか一方を再生する再生手段と、
前記再生手段による再生信号の品質を検出する品質検出手段と、
前記再生手段にＭ種類の品質の各々に対応するＭ個の出力処理のいずれかを施す出力処理手段と、
前記品質検出手段の検出結果に基づいて前記Ｍ個の出力処理のいずれかを能動化する選択手段とを備え、
前記Ｎ及びＭはＮ＜Ｍを満足する正の整数であり、前記Ｍ種類の品質は前記第２信号の品質を含み、前記
第１信号及び前記第２信号
品質
【発明の詳細な説明】
　【０００１】
　【発明の属する技術分野】本発明は、静止画データ、動画データ及び音声データを記録データとしてメモリカードや光ディスク等の着脱自在の記録媒体に記録でき、更にこの記録媒体から記録データを再生可能なディジタルカメラに関する。
　【０００２】
　【従来の技術】近年、ＣＣＤイメージャ等の撮像素子にて被写体からの入射光を撮像して撮像信号に光電変換し、この撮像信号を撮像データにディジタル化し、更に所定の信号処理を行って画像データに変換し、この画像データを画像圧縮処理して圧縮画像データにして、メモリカードや光磁気ディスク等の記録媒体に画像ファイルとして記録するディジタルカメラが賞用され、更にカメラ本体にマイクを装着して集音した音声信号をディジタル化して得られる音声データをも併せて記録媒体に記録するタイプも開発されている。
　【０００３】このようなカメラでは、通常、記録媒体に記録されている圧縮画像データを記録媒体から読み出して画像伸長して、元の画像データに復元し、これをモニタに映出する画像の再生機能が搭載され、音声データについても記録媒体から読み出して所定の信号処理を実行して、カメラに装着されたスピーカもしくは外部出力端子に出力する音声の再生機能が搭載されている。
　【０００４】ところで、ＣＣＤイメージャには３５万画素程度の比較的少ない画素数のものから数百万画素程度の比較的多い画素数のものまでの多様であり、これに伴いＣＣＤイメージャから得られる画像データの画像サイズ、言い換えると解像度も多種類が存在する。
　【０００５】また、画像データが動画データを構成する場合には、上述の画素数に加えて、多種類のフレームレートが存在する。例えば、１秒間に１５枚のフレーム画で動画を構成する１５ｆｐｓの動画ファイルや更に滑らかな動画ができるように１秒間に３０枚の画面で動画を構成する３０ｆｐｓの動画ファイルが存在する。
　【０００６】また、音声データについても、音声信号を音声データにディジタル化する際のサンプリングレート、量子化ビット数等の点が多様である。
　【０００７】従って、これらの各種の画像及び音声フォーマットを数種類の代表的なものに統一して規格化し、記録及び再生のいずれのモードにおいても、この規格を準拠するようにすれば、あるカメラで撮影して記録データを記録した記録媒体を別のカメラに装着して、この別のカメラで記録媒体から記録データを読み出して再生することが可能になる。例えば、画素数として６４０×４８０のＶＧＡモード、１０２４×７６８のＸＧＡモード、１２８０×９６０のＳＸＧＡモードの３種類の解像度を互換モードとして設定し、カメラの記録系にてこれらの３種類の解像度を任意に選択できるようにし、再生系にてもこれらの３種類の解像度の画像の再生が可能となるようにすれば、互換性を満足するカメラでは、記録媒体の交換が自在に可能になる。
　【０００８】
　【発明が解決しようとする課題】前述のように、記録系及び再生系のいずれにおいても、互換性を完全に満足することができれば、使用者には最適であることは間違いないが、画素数面から考えると、比較的画素数の少ない、例えば３５万画素程度のＣＣＤイメージャを撮像素子として使用した場合に、ＶＧＡモードの画像データを得るのが限界であり、画質劣化を免れない補間処理等の特殊な処理なしには、ＸＧＡやＳＸＧＡモードの画像データは得られない。従って、記録系において互換モードの全てを満足させるには、互換モード中の最高水準の画素数の画像を取得できる高価なＣＣＤイメージャが必要になると共に、撮影時に解像度を選択する手段や選択された解像度に適合するように信号処理を用意することが不可欠となり、処理系の複雑化は避けられない。
　【０００９】また、同様に画素数に限らず、動画のフレームレートや音声のサンプリングレート、量子化ビット数についても、規格化された中の最高水準のものを記録系で用意する必要があり、更にコストアップは避けられない。
　【００１０】
　【課題を解決するための手段】本発明は、本体機器に対して着脱自在な記録媒体と、入射光を撮像素子にて光電変換して画像データを作成する撮像手段と、Ｍ（Ｍ：整数）種類の互換モードの中のＮ（Ｎ：整数）種類の互換モードのいずれか１つに合致した形態で、該撮像手段から得られる画像データを、互換モードを示す管理情報と共に記録媒体に記録する記録手段と、記録媒体に記録された管理情報に基づいて、Ｍ種類のいずれかの互換モードで画像データを再生する再生手段とを備え、Ｍ、Ｎは正の整数でＭ＞Ｎを満足し、
Ｍ種類の互換モードには、Ｎ種類の互換モードより上位の互換モードを含み、
り、かつＮ種類の品質より高
第１信号及び第２信号
品質
第１信号及び第２信号
品質
　【００１１】
　【発明の実施の形態】以下、図面に従い本発明の一実施例を説明する。本実施例では、記録媒体として特定の直径の光磁気ディスクを用い、このディスクを記録媒体として使用する場合のカメラ間での互換性を維持するために、図４に示すように解像度、フレームレート及び音声品位の各々に関して複数種類の互換モードが規定されている。
　【００１２】まず、解像度の互換モードについては、１２８０×９６０ピクセルのＳＸＧＡモードと、１０２４×７６８ピクセルのＸＧＡモードと、６４０×４８０ピクセルのＶＧＡモードの３種類のモードが用意されている。
　【００１３】また、動画時のフレームレートは、１秒間に３０フレームの画像で構成される３０ｆｐｓと１５フレームで構成される１５ｆｐｓの２種類が用意されている。
　【００１４】また、音声品位としては、高品位、標準、低品位の３種類が用意され、高品位モードとしては、ステレオ、サンプリングレートが４４ＫＨｚ、量子化ビット数が１６ｂｉｔと規定されており、標準モードとしては、モノラル、サンプリングレートが２２ＫＨｚ、量子化ビット数が１６ｂｉｔと規定され、更に低品位モードとしては、モノラル、サンプリングレートが８ＫＨｚ、量子化ビット数が８ｂｉｔと規定されている。
　【００１５】図１は本実施例に係わるディジタルカメラであり、記録系については解像度、フレームレート及び音声品位の各互換モードの中の最低レベルの１種類のみを満足するように設定されている。即ち、解像度として、６４０×４８０ピクセルの解像度のみが実現できる程度の画素数の少ない安価なＣＣＤイメージャが採用されており、フレームレートは１５ｆｐｓのみが実現できるように後述のディジタル信号処理回路はそれほど高速の処理を要しないものが採用され、音声品位は低品位モードのみが実現できるようにモノラルのマイクと低品位モード用のみの処理回路が採用されている。
　【００１６】まず、図１の各部について説明する。図１において、１はレンズ（図示省略）を経て入射される入射光を撮像信号に光電変換するＣＣＤイメージャであり、前述のように６４０×４８０ピクセルで表示画面を構成するＶＧＡを維持できる画素数が少ないものが使用されている。
　【００１７】このＣＣＤイメージャ１から出力された撮像信号は、ＣＤＳ／ＡＧＣ回路２で周知のノイズ除去及びレベル調整が施され、その後Ａ／Ｄ変換器３でディジタル信号である撮像データに変換される。
　【００１８】Ａ／Ｄ変換器３の後段には、ディジタル信号処理回路４が配置され、色分離作業や輝度及び色差データへの変換（ＹＵＶ変換）等の周知の信号処理が実行され、輝度Ｙ及び両色差Ｕ、Ｖのデータで構成される画像データが画素毎に作成され、バス７を経由してメモリ制御回路２２により、ＳＤＲＡＭ５の画像データ格納エリア５ａに一旦格納される。
　【００１９】ビデオエンコーダ６は、ＳＤＲＡＭ５の画像データ格納エリア５ａからバス７を経由して読み出された画像データを、ＮＴＳＣフォーマットでエンコードして映像信号とし、カメラ本体に装着された後段のモニタ９に供給し、この画像データがモニタ９に映出される。
　【００２０】画像圧縮伸長回路１１は、画像記録時にＣＰＵ１２からの圧縮指令が受けた場合に、画像データ格納エリア５ａに格納された画像データをバス７を経由して取り込み、ＪＰＥＧフォーマットに準じて画像圧縮を実行する。ここで得られた圧縮画像データは、再びバス７を経由してＳＤＲＡＭ５の圧縮データ格納エリア５ｂに一旦格納され、その後に後述するように音声データと共に記録媒体であるディスク１４に記録される。
　【００２１】尚、画像データ格納エリア５ａと圧縮データ格納エリア５ｂは、ＳＤＲＡＭ５内の全く別々の領域に設定されている。
　【００２２】ディスク１４はカメラ本体に設けられたディスク装着部に着脱自在に装着され、バス７を介してＳＤＲＡＭ５またはＣＰＵ１２とのデータの授受が可能になる。
　【００２３】１５は、記録モードか再生モードかを選択するＲ／Ｐ選択スイッチであり、１６は、記録モード時に静止画記録を実行する静止画記録モードか動画記録を実行する動画記録モードかを選択する記録モード選択スイッチであり、１７は記録対象の撮影トリガを発するレリーズボタンであり、これらのスイッチ１５、１６及びボタン１７からの各種選択及びトリガ信号は、シスコン１８に入力される。
　【００２４】シスコン１８は、選択スイッチ１５、１６から入力されるモード選択信号を受けて、カメラ各部を所望のモードに設定すると共に、レリーズボタン１７から指示を受けて各モードの記録制御を実行する。
　【００２５】２５は、図２に示すようにモノラルマイク２６にて集音された音声信号をＡ／Ｄ変換器２７にてディジタル音声データに変換し、後段のディジタル信号処理回路２８にて周知の信号処理を実行する音声記録処理回路である。ここで、Ａ／Ｄ変換器２７は、音声信号をサンプリングレートを８ＫＨｚでサンプリングするサンプリング回路２７ａと、このサンプリングデータを量子化ビット数が８ｂｉｔのディジタルデータに変換するディジタル化回路２７ｂで構成される。この音声記録処理回路２５にて作成されたディジタル音声データは、ＣＰＵ１２からの書き込み指令と共にメモリ制御回路２２に入力され、ＳＤＲＡＭ５内の格納エリア５ａ、５ｂとは異なる音声格納エリア５ｃに書き込まれる。
　【００２６】３０は、ディスク１４から読み出された音声データを再生してスピーカ部３１に出力する音声再生処理回路であり、図３に示すように高品位用再生系４１、標準用再生系４４及び低品位再生系４６の３種類の音声再生系で構成され、高品位モード用にはステレオのＲ側音声データに対してディジタル信号処理回路４２ａにて周知の音声信号用の信号処理を施して、この処理出力をＤ／Ａ変換器４２ｂにてアナログの音声信号として後段の選択回路４８に出力する。ここで、Ｄ／Ａ変換器４２ｂは高品位モードの要件であるサンプリングレートが４４ＫＨｚ、量子化ビット数が１６ｂｉｔのデータを取り扱うように設計されている。同様に、ステレオのＬ側音声データはディジタル信号処理回路４３ａにて信号処理され、この出力がＤ／Ａ変換器４３ｂにて音声信号に変換される。ここで、Ｄ／Ａ変換器４３ｂもＤ／Ａ変換器４２ｂと同様に高品位モードの要件であるサンプリングレートが４４ＫＨｚ、量子化ビット数が１６ｂｉｔのデータを取り扱うように設計されている。
　【００２７】標準用再生系４４では、音声データがディジタル信号処理回路４５ａにて周知の信号処理が施され、この信号処理出力が標準モードの要件であるサンプリングレートが２２ＫＨｚ、量子化ビット数が１６ｂｉｔのディジタルデータとして取り扱うＤ／Ａ変換器４５ｂに入力されてアナログの音声信号に変換されて選択回路４８に入力される。
　【００２８】同様に、低品位用再生系４６では、音声データがディジタル信号処理回路４７ａにて周知の信号処理が施され、この信号処理出力が低品位モードの要件であるサンプリングレートが８ＫＨｚ、量子化ビット数が８ｂｉｔのディジタルデータとして取り扱うＤ／Ａ変換器４７ｂに入力されてアナログの音声信号に変換されて選択回路４８に入力される。
　【００２９】選択回路４８は、ＣＰＵ１２からの選択指示に応じて、再生対象となる音声信号が高品位モードの音声であれば、高品位用再生系４１のＤ／Ａ変換器４２ｂからの音声信号をＲ側音声信号として出力し、Ｄ／Ａ変換器４３ｂからの音声信号をＬ側音声信号として選択出力し、標準モードの音声であれば、標準用再生系４４のＤ／Ａ変換器４５ｂから出力される音声信号をＲ及びＬ側音声信号として選択出力する。また、低品位モードの音声であれば、低品位用再生系４６のＤ／Ａ変換器４７ｂから出力される音声信号をＲ及びＬ側音声信号として選択出力する。
　【００３０】選択回路４２の後段にはＲ側及びＬ側スピーカ３１ａ、３１ｂが配置され、Ｒ側音声信号はＲ側スピーカ３１ａに出力され、Ｌ側音声信号はＬ側スピーカ３１ｂに出力される。
　【００３１】以上のように構成されるディジタルカメラの各部の動作を記録時と再生時に分けて以下に説明する。まず、カメラの電源釦（図示省略）をＯＮし、更にＲ／Ｐ選択スイッチ１５の手動操作により記録モードが選択された状態でカメラを作動状態にすると、シスコン１８はスルー画表示を各部に指示する。この際、使用者は手動により記録モード選択スイッチ１６を操作して静止画記録モードか動画記録モードかを択一的に選択する。ここでは、まず静止画記録モードを選択した場合を説明する。
　【００３２】この静止画記録モードが選択されると、レリーズボタン１７がＯＮ押圧されるまでは、シスコン１８は各部にスルー画表示を指示し、ＣＣＤイメージャ１より出力される撮像信号はＣＤＳ／ＡＧＣ回路２、Ａ／Ｄ変換器３を介してディジタル信号処理回路５０にて信号処理され、作成された１フレーム分の画像データが画像データ格納エリア５ａに格納され、これ以後、順次得られる画像データにより画像データ格納エリア５ａのデータは更新され、同時にこの画像データ格納エリア５ａ内のデータはビデオエンコーダ６を経由してモニタ９に表示されるので、モニタ９にはＣＣＤイメージャ１が撮影した動画像が映出される。
　【００３３】スルー画表示が指示された状態では、ＣＰＵ１２から画像圧縮伸長回路１１には圧縮指令は発せられず、画像圧縮伸長回路１１は何ら動作を実行しないので、動画像はモニタ９に表示されるだけで、圧縮されてディスク１４に記録されることはない。
　【００３４】この状態で、レリーズボタン１７が押圧されると、シスコン１２は静止画記録モードによる記録の指示を各部に発し、ＣＣＤイメージャ１からのＶＧＡの解像度を有する撮像データを画像データに変換してＳＤＲＡＭ５の画像データ格納エリア５ａに格納し、１画面、即ち１フレーム分の画像データの格納が完了すると、画像データ格納完了信号がメモリ制御回路２２からＣＰＵ１２に入力されて、ＣＰＵ１２はメモリ制御回路２２に画像データの読み出しを指示すると共に画像圧縮伸長回路１１に圧縮指令を発する。また、メモリ制御回路２２は信号処理回路４から新たに得られる画像データのＳＤＲＡＭ５への入力を阻止する。
　【００３５】そして、圧縮指令を受けて画像圧縮伸長回路１１は、画像データ格納エリア５ａに格納されている画像データを画像圧縮し、ＣＰＵ１２からメモリ制御回路２２へは、得られた圧縮画像データをＳＤＲＡＭ５の圧縮データ格納エリア５ｂに格納するように書き込みを指示する。こうして、１フレーム分の圧縮画像データのＳＤＲＡＭ５への格納が完了すると、ＣＰＵ１２は圧縮データを取り込んで、管理情報を有するヘッダ部を付加して、静止画ファイル即ちＪＰＥＧファイルとしてディスク１４への書き込みを実行する。ここで、管理情報には、ファイルサイズや解像度といったデータが含まれており、解像度についてはＶＧＡであることを示すデータが付与される。
　【００３６】こうして１フレーム分の記録が全て完了すると、シスコン１８は再びスルー画表示を指示し、メモリ制御回路２２は信号処理回路４からの新たな画像データの格納を許容し、画像圧縮伸長回路１１は非作動状態となる。尚、静止画記録モードにおいて、画像データ格納エリア５ａの画像データの更新が圧縮及び書き込みの間に阻止されるので、モニタ９には画像データ格納エリア５ａでの画像データがフリーズ画として映出される。
　【００３７】このようにして、ディスク１４にはレリーズボタン１７の押圧直後に得られる１フレーム分のＶＧＡの圧縮画像データが静止画ファイルとして格納されたことになる。
　【００３８】一方、音声記録処理回路２５では、レリーズボタン１７の押圧に伴ってモノラルマイク２６で集音された所定時間分の音声信号が音声データに変換されて所定量ずつ格納エリア５ｃに格納され、画像圧縮データのディスク１４への記録が完了すると、直ちにこの圧縮画像データに関連する音声データであるインデックス情報を付加してディスク１４に記録される。
　【００３９】次に、記録モード選択スイッチ１５ｂにより動画記録モードが選択されている場合を説明する。レリーズボタン１７の押圧によりディジタル信号処理回路４から画像データが格納エリア５ａに格納され、１フレーム分の画像データの格納が完了すると、この１フレーム分の画像データが画像圧縮伸長回路１１にて画像圧縮され、圧縮画像データを圧縮データ格納エリア５ｂに格納し、これ以降、同様の処理を実行して、格納エリア５ｂには１秒間に１５フレーム分の圧縮画像データを蓄積し、これと並行して格納エリア５ｃには音声データが順次格納される。
　【００４０】こうして１秒間の圧縮画像データ及び音声データがＳＤＲＡＭ５に格納されると、これらの圧縮画像データ及び音声データはＣＰＵ１２に読み出され、ここで管理情報を含むヘッダ部を付加して記録用ディスク１４にＭＯＴＩＯＮ−ＪＰＥＧ規格に沿った動画ファイル（例えば、ＡＶＩファイルやＱＵＩＣ　Ｋ　ＴＩＭＥファイル）として記録される。ここで、管理情報には、解像度及びフレームレート、更には音声品位に関する情報が含まれている。
　【００４１】ここで、レリーズボタン１７の押圧が継続されている限りは、同様の処理が継続され、ディスク１４には、順次圧縮画像データ及び音声データが同一ファイル中に連続的に記録されることになる。
　【００４２】次にディスクに格納された画像及び音声ファイルの再生について説明するが、ディスクはカメラに対して着脱自在であるので、まず、本カメラで記録を実行したディスクをそのまま装着して再生する場合を説明する。まず、使用者がＲ／Ｐ選択スイッチ１５ａを操作して再生モードを選択し、ディスクに記録されている静止画ファイルの再生を指示すると、シスコン１８からの制御信号に応答して、ＣＰＵ１２は再生を所望するＪＰＥＧファイル中のヘッダ部の所定位置に記録されている管理情報を読み出して互換モードがどのように選択されているか、即ち、解像度モード及び音声品位を認識する。
　【００４３】ここで、ディスク１４は記録時から取り外されておらず、本カメラにより撮影された静止画データが格納されているので、解像度モードは必ずＶＧＡであり、音声品位も必ず低品位モードである。
　【００４４】この認識が完了すると、該当する静止画ファイルの１フレーム分の圧縮画像データが記録用ディスクより読み出されてＳＤＲＡＭ５の圧縮データ格納エリア５ｂに読み出され、この読み出しが完了すると、この圧縮データが画像圧縮伸長回路１１に入力されて、圧縮処理とは全く逆の処理にて画像伸長が実行され、伸長により得られた１フレーム分の画像データはＳＤＲＡＭ５の画像データ格納エリア５ａに展開され、この画像データがビデオエンコーダ６を経由してモニタ９に表示される。
　【００４５】ここで、ビデオエンコーダ６では、格納エリア５ａ内の画像データをＣＰＵ１２が認識している解像度モード、即ちＶＧＡに適合した画像としてモニタに映出されるようにエンコードが為される。尚、この再生モードでは、ＣＣＤイメージャ１からディジタル信号処理回路５０までの各部は非作動状態となる。
　【００４６】また、静止画再生に連動して再生を行う静止画ファイルに該当する音声ファイルのデータが格納エリア５ｃに読み出され、所定量づつ音声再生処理回路３０に供給される。ここで、ＣＰＵ１２では、低品位モードを認識しているので、ＣＰＵ１２は選択回路４８に対して低品位モードに適した出力選択を指示し、Ｒ側及びＬ側音声信号としてＤ／Ａ変換器４７ｂから出力される同一の音声信号が出力され、両スピーカー３１ａ、３１ｂからは低品位のモノラル音声が出力されることになる。
　【００４７】また、動画ファイルの再生を実行する際には、ヘッダ部より管理情報をＣＰＵ１２がまず読み出して、互換モードとして規定される解像度、フレームレート及び音声品位を認識する。ここで、ディスク１４の記録時からの交換が為されていないので、解像度はＶＧＡ，フレームレートは１５ｆｐｓ、音声品位は低品位である。
　【００４８】次いで、動画ファイル中の圧縮画像データを格納エリア５ｂに読み出し、更に音声データを格納エリア５ｃに読み出す。格納エリア５ｂに読み出された圧縮画像データは１フレームづつ画像圧縮伸長回路１１にて画像伸長されて画像データに戻され、解像度モードに適応した画像で格納エリア５ａに展開される。ここで、フレームレートに応じて、格納エリア５ｂに格納されている１フレーム分の圧縮画像データの伸長動作に伴う格納エリア５ａの画像データの更新は、１／１５秒毎に実行するように、ＣＰＵ１２はメモリ制御回路２２に画像圧縮伸長回路１１へのＳＤＲＡＭ５の圧縮画像データの読み出しを制御させる。
　【００４９】この動画再生時には動画ファイル中の音声データも順次格納エリア５ｃに読み出され、静止画再生時と同様に低品位再生系４６を用いて順次実行される。
　【００５０】次に、ディスク１４をカメラ本体より取り外して、互換モードとしてはいずれも上位のレベルの別のカメラに装着して、解像度をＳＸＧＡ、フレームレートを３０ｆｐｓ、音声品位を高品位として撮影された静止画や動画を記録し、このディスクを再び本カメラに戻して、本カメラで再生を行なう場合を説明する。
　【００５１】まず、別のカメラで記録されたＳＸＧＡの静止画ファイルの再生を指定すると、ＣＰＵ１２は再生を所望するＪＰＥＧファイル中のヘッダ部の所定位置に記録されている管理情報を読み出して、互換モードがどのように選択されているか、即ち、解像度がＸＧＡで音声品位が高品位であることを認識する。
　【００５２】この認識が完了すると、該当する静止画ファイルの１フレーム分の圧縮画像データがディスク１４より読み出されてＳＤＲＡＭ５の圧縮データ格納エリア５ｂに格納され、この読み出しが完了すると、この圧縮データが画像圧縮伸長回路１１に入力されて画像伸長が実行され、伸長により得られた画像データはＳＤＲＡＭ５の画像データ格納エリア５ａに展開され、この画像データがビデオエンコーダ６を経由してモニタ９に表示される。
　【００５３】ここで、ビデオエンコーダ６では、格納エリア５ａ内の画像データをＣＰＵ１２が認識している解像度、即ちＳＸＧＡに適合した画像としてモニタに表示されるようエンコードを実行する。
　【００５４】また、静止画再生に連動して再生を行う静止画ファイルに該当する音声ファイルのデータが格納エリア５ｃに読み出され、所定量づつ音声再生処理回路３０に供給される。ここで、ＣＰＵ１２では高品位モードを認識しているので、ＣＰＵ１２は選択回路４８に対して高品位モードに適した出力選択を指示し、Ｒ側音声信号としてＤ／Ａ変換器４２ｂから出力される音声信号が出力され、Ｌ側音声信号としてはＤ／Ａ変換器４３ｂから出力される音声信号が出力され、両スピーカーからは高品位モードに適応するステレオ音声が出力されることになる。
　【００５５】別のカメラで記録された動画ファイルの再生を実行する際には、ヘッダ部より管理情報をＣＰＵ１２がまず読み出して、互換モードの解像度、フレームレート及び音声品位を認識する。解像度、フレームレート及び音声品位がいずれも最高レベルであるＳＶＧＡ、３０ｆｐｓ、高品位であることが認識されると、ＣＰＵ１２はメモリ制御回路２２に対して３０ｆｐｓの動画が可能となるように読み出し・書込み制御を実行する。
　【００５６】互換モードの認識が完了すると、ディスク１４に格納された動画ファイルの中の複数フレーム分の圧縮画像データが格納エリア５ｂに転送され、これらの複数フレームに対応する音声データが格納エリア５ｃに転送される。これらの転送が完了すると、格納エリア５ｂに転送された圧縮画像データが画像圧縮伸長回路１１に読み出されて伸長され、元の画像データに戻されて格納エリア５ａに格納される。ここで、メモリ制御回路２２はフレームレートを３０ｆｐｓに適したメモリ制御を為し、１フレーム分の圧縮画像データの画像圧縮伸長回路１１への読み出しは１／３０秒に１回となるように読み出しを行い、これに伴って格納エリア５ａに格納される１フレーム分の画像データの更新は１／３０秒毎に実行される。こうして格納エリア５ａに展開された画像データはビデオエンコーダ６を介して表示され、上述の動作を繰返すことによりＸＶＧＡの３０ｆｐｓの動画として表示されることになる。動画時の音声についても、静止画再生時と同様に高品位の音声として再生が為される。
　【００５７】以上のように、本カメラでは、記録系を構成するＣＣＤイメージャ１やマイク、信号処理回路に低品位なものを採用して、互換モードとしていずれも最低レベルでしか対応できなくとも、再生系では全ての互換モードを満足できるように構成することにより、互換性を有する別のカメラで画像若しくは音声を記録したディスクを再生する際に、例えば最高レベルの互換モードの画像または音声を再生することが可能になる。
　【００５８】前記実施例では、互換モードとして解像度、フレームレート及び音声品位に限って説明したが、必ずしもこれらに限定されるものではなく、同様に静止画ファイルや動画ファイルもＪＰＥＧファイルや動画ファイルに限定されるものではない。
　【００５９】また、前記実施例では、解像度、フレームレートおよび音声品位の各々の互換モードを説明したが、これに限定されるものではなく、静止画ファイルの圧縮方式としてＪＰＥＧ規格に沿った画像圧縮モードと全く圧縮を行なわない非圧縮モードの２種類を互換モードに規定する等の対応も可能である。
　【００６０】また、前記実施例では、本カメラ装置の互換モードをいずれも最低レベルのものに設定したが、これに限定されるものではなく、最低、中位、最高レベルの内の１種類または２種類の記録が可能になればよい。例えば、解像度においてＶＧＡモードに加えてＸＧＡモードの撮影が可能な画素数のＣＣＤイメージャを採用して、最低および中位の２種類の解像度での記録を可能にしたり、音声品位として低品位と高品位の２種類の記録に適応させ、標準用の処理系を省くようにすることも可能である。
　【００６１】また、前記実施例では、記録媒体としてディスクを例に挙げて説明したが、カメラ本体に着脱自在なものであれば、メモリカード等の記録媒体であってもよいことは言うまでもない。
　【００６２】更に、前記実施例では、音声再生時の処理系を品位に応じて複数用意しているが、その都度処理のパラメータを変更することで１つの処理系でも対応可能である。
　【００６３】また、図１のブロック図で、バス７を介してのデータ転送には、通常はＤＭＡで実行される。
　【００６４】また、モニタ９での画像データの表示は、カメラの電源ＯＮと同時に必ず実行されるように説明したが、モニタＯＮ／ＯＦＦスイッチを配して、使用者の選択により実行するように構成してもよいことは言うまでもない。
　【００６５】
　【発明の効果】上述の如く本発明によれば、記録系において互換モードの少なくとも１つを満足させ、再生系に関しては互換モードのいずれにも対応できるように構成しているので、互換性を維持するカメラ間で画像及び音声データをやりとりする場合に、一方のカメラで撮影された画像および音声は必ず他方のカメラで再生でき、逆の場合も必ず可能となる。つまり、記録系の画像や音声の取り込み手段として互換モードの全てを満足するための処理手段は不要となり、互換モードの少なくとも１つに適応できるように処理を簡略化しながらも、必要最小限の互換性を複数のカメラ間で維持することが可能になる。
【図面の簡単な説明】
　【図１】本発明の一実施例のディジタルカメラのブロック図である。
　【図２】本発明の一実施例の記録系の要部ブロック図である。
　【図３】本発明の一実施例の再生系の要部ブロック図である。
　【図４】本発明の一実施例の互換モードの説明図である。